(57)【要約】【目的】  従来からある机に簡単に固定することが可能で、使用しないときは邪魔にならない着脱自在型の情報端末の実現を課題とする。【構成】  情報通信用の情報端末において、情報端末本体と、この情報端末本体を収納する筺体４と、情報端末本体に接続されて表示画面を表示するディスプレイ１と、筺体４に固着され、机の天板を鋏み込んで筺体４を机に固定する固定用フレーム１０とを具備することを特徴とする。【選択図】            図２
2006127210.tif 000002
【特許請求の範囲】
【請求項１】
情報通信用の情報端末において、
情報端末本体と、
前記情報端末本体を収納する筺体と、
前記情報端末本体に接続され、表示画面を表示するディスプレイと、
前記筺体に固着され、机の天板を鋏み込んで前記筺体を机に固定する固定用フレームと
を具備することを特徴とする情報端末。
【請求項２】
前記筺体は、前記情報端末本体に接続されたキーボードとマウスを載置して前方に引き出し可能なキーボードテーブルを有することを特徴とする請求項1に記載の情報端末。
【請求項３】
前記ディスプレイは、前記表示画面を上方に向けて表示するように前記固定用フレーム又は前記筺体に固定されていることを特徴とする請求項１又は請求項２に記載の情報端末。
【請求項４】
前記ディスプレイは、前記表示画面が前方に所定の角度で起立するように前記固定用フレーム又は前記筺体に蝶番を介して装着されていることを特徴とする請求項１又は請求項２に記載の情報端末。
【請求項５】
前記筺体に、前記情報端末の利用料金徴収手段を具備することを特徴とする請求項1乃至請求項４のいずれか１項に記載の情報端末。
【請求項６】
前記情報端末本体は、無線ＬＡＮ用通信アダプターを有することを特徴とする請求項１乃至請求項５のいずれか１項に記載の情報端末。
【発明の詳細な説明】
【技術分野】
【０００１】
本発明は、情報端末に関し、特に会議室やインターネットカフェなどで用いられるのに適した情報端末に関する。
【背景技術】
【０００２】
喫茶店店内でインターネットに接続したパソコンなどの情報端末を顧客に提供し、インターネットを介して遊べることを付加価値サービスとし、情報端末の使用時間に応じて料金を徴収するインターネットカフェが生まれている。
このようなインターネットカフェでは専用の机１つに一台の情報端末が備え付けられる場合が多い。しかしながら、このような専用の机を用いると、従来の家具や室内内装とマッチしない場合が多く、また、すでに机が揃っている場合でも、新たに専用の机をパソコンともども購入したり、リースしたりせねばならないという不都合があった。
【０００３】
過去のインターネットカフェ関連の技術としては、最初は通常のインターネット操作をできないようにしておき、インターネット及びコンテンツの接続申込と飲食の注文を同時に受け付け、インターネット接続の申込を受け付けたときのみ接続を行うようにする運営方法（特許文献１参照。）、横長のディスプレイを用い、インターネット使用中もディスプレイの半分に広告を表示する運営方法（特許文献２参照。）、プリペイドカード、キャッシュカード、デビットカード、貨幣、紙幣を利用可能にし、利用可能残高や料金を表示する課金方式（特許文献３参照。）など、その運用方法や課金方式などについて報告がなされているが、このような観点からの情報端末に関する報告は見られない。
【特許文献１】特開２００３−３０５４９号公報
【特許文献２】特開２００３−１０８６５４号公報
【特許文献３】特開２００２−７３２４号公報
【発明の開示】
【発明が解決しようとする課題】
【０００４】
パーソナルコンピュータは、デスクトップ型かノート型が一般的である。しかし、インターネットカフェで情報端末として用いるのにはこのような一般的な形状のものはあまり適していない。インターネットカフェで用いる情報端末は、立設していて机の上で邪魔になるものは好ましくないし、また容易に取り外して持ち出せるようなものも好ましくない。このため、従来は専用の机に作り付けされて固定されている情報端末が一般に用いられてきた。
しかしながら、このような専用の机を用いると、従来の家具や室内内装とマッチしない場合が多く、また、すでに机が揃っている場合でも、新たに専用の机を情報端末ともども購入したり、リースしたりせねばならないという不都合があった。
本発明は、この問題を比較的簡単な方法で解決して、従来からある机に簡単に固定することが可能で、使用しないときはあまり邪魔にならない着脱自在型の情報端末の実現を課題とする。
【課題を解決するための手段】
【０００５】
上記問題を解決するため本発明の請求項１では、情報通信用の情報端末において、情報端末本体と、前記情報端末本体を収納する筺体と、前記情報端末本体に接続され、表示画面を表示するディスプレイと、前記筺体に固着され、机の天板を鋏み込んで前記筺体を机に固定する固定用フレームとを具備することを特徴とする。
【０００６】
また、上記問題を解決するため本発明の請求項２では、請求項1に記載の情報端末において、前記筺体は、前記情報端末本体に接続されたキーボードとマウスを載置して前方に引き出し可能なキーボードテーブルを有することを特徴とする。
【０００７】
さらにまた、上記問題を解決するため本発明の請求項３では、請求項1又は請求項２に記載の情報端末において、前記ディスプレイは、前記表示画面を上方に向けて表示するように前記固定用フレーム又は前記筺体に固定されていることを特徴とする。
【０００８】
さらにまた、上記問題を解決するため本発明の請求項４では、請求項1又は請求項２に記載の情報端末において、前記ディスプレイは、前記表示画面が前方に所定の角度で起立するように前記固定用フレーム又は前記筺体に蝶番を介して装着されていることを特徴とする。
【０００９】
さらにまた、上記問題を解決するため本発明の請求項５では、請求項1乃至請求項４のいずれか１項に記載の情報端末において、前記筺体に、前記情報端末の利用料金徴収手段を具備することを特徴とする。
【００１０】
さらにまた、上記問題を解決するため本発明の請求項６では、請求項1乃至請求項５のいずれか１項に記載の情報端末において、前記情報端末本体は、無線ＬＡＮ用通信アダプターを有することを特徴とする。
【発明の効果】
【００１１】
本発明の情報端末は以上のように構成したので、従来からある机に簡単に固定することが可能で、使用しないときはあまり邪魔にならない着脱自在型の情報端末を提供することができ、従来からある家具や室内内装と調和した情報端末を実現することができる。
【発明を実施するための最良の形態】
【００１２】
図１に、本発明の情報端末の一実施の形態を、既製の机に設定した場合の外観斜視図を示す。また図２にこの実施の形態の情報端末単体の斜視図を、図３にその上面図を、図４にその正面図を、図５にその側面図を、図６に情報端末本体を収納する筺体の展開図である。ただし、図４の正面図はキーボードとマウスを取り除いた形で示してある。また、図７に本実施の形態の操作フローチャートを示す。
【００１３】
図２乃至図６において、符号１は液晶ディスプレイ、符号２はキーボード、符号３はマウス、符号４は情報端末本体を収納する筺体、符号５はコインシュータ、符号６はキーボードテーブル、符号７はスライドレール、符号８はディスプレイカバーパネル、符号９は化粧フレーム、符号１０は固定用フレーム、符号１１は押当て金具、符号１２は情報端末本と液晶ディスプレイ１とを接続するディスプレイ用ケーブル、符号１３は固定用フレーム１０の筺体４への取付け部、符号１４は液晶ディス１を固定用フレーム１０に固定するディスプレイ固定金具、符号１５は情報端末本体、符号１６はＡＣ電源から情報端末本体１５への直流電源を取るためのＡＣアダプターである。
【００１４】
図１に示すように、本実施の形態を使用する場合には、固定用フレーム１０で既製の机の天板を挟むようにして押当て金具１１を締め付け、既製の机に本実施の形態を固定する。このようにすると、情報端末本体１５に接続された液晶ディスプレイ１は机天板上に水平に固定される。液晶ディスプレイ１は薄型で表面がディスプレイカバーパネル８によって覆われていて周囲は化粧フレーム９で縁取られているため、このままの状態で机を利用してもさして邪魔にならず、設置された状態が従来の室内内装とマッチするので全体としての美観を損ねるようなことはない。押当て金具１１は筺体４の下から専用の工具を用いて締め付けてあるので、手では簡単に回転することができず、固定された情報端末をいたずらに外されるような虞は少ない。
【００１５】
この情報端末を使用する場合は、机の下に収まっているキーボードテーブル６を手前に引き出して用いる。このキーボードテーブル６は両サイドにスライドレール７が設けられているので、使用する際には簡単に手前に引き出すことができ、使用しないときは奥に押し込んで収納することができる。キーボードテーブル６には、キーボード２とマウス3が載置されていて、キーボードテーブル６を引き出すと、図1に示した状態になり、キーボード２とマウス3を自由に使うことができるようになる。
【００１６】
図７に、本実施の形態の情報端末を使ってインターネット通信を行なう場合の操作のフローチャートを示す。
情報端末を操作する場合は、予め、情報端末を既製の机にセットして（図７ステップ１）、電源コードをＡＣ電源に接続して（図７ステップ２）、使用待機状態にしておく（図７ステップ３）。
実際に使用する場合には、キーボードテーブル６を引き出して、キーボードやマウスを操作しやすいようにする（図７ステップ４）。そうしてコインシュータ５に１００円硬貨を投入する（図７ステップ５）。これにより、液晶ディスプレイ１の画面に初期画面が表示されるので、以下は、画面にしたがって操作を行なう（図７ステップ６）。
【００１７】
投入硬貨での操作時間が終了した場合（図７ステップ７）、さらに操作を継続する場合には（図７ステップ８）、ステップ５に戻ってコインシュータ５に料金の１００円硬貨を投入する。操作を終了する場合はキーボードテーブル６を筺体４の奥に収納して（図７ステップ９）、終了する。
【００１８】
このように、本実施の形態の情報端末は、固定用フレーム１０で既製の机の天板を挟み込んで押当て金具１１で締め付けて固定するようにしているので、取り付け取り外しは可能であるがいたずらされる虞はなく、また、従来の机をそのまま用いることができるので出費が少なく室内内装の調和を乱す虞は少ない。
【００１９】
図８に、本発明の情報端末の他の実施の形態を既製の机に設定した場合の外観斜視図を、また図９に、この実施の形態の情報端末単体の斜視図を示す。図９での符号は、図２乃至図６のそれと一致させてある。
この実施の形態が図１などに示した実施の形態と異なる点は、液晶ディスプレイ１が固定用フレーム１０にヒンジ部を介して取り付けられていて、図８及び図９に示すように、液晶ディスプレイ１の画面を所定の角度に起こすことができるようになっている点である。これにより、操作者は画面を所定の角度に立てて、見やすい位置で操作を行なうことができる。情報端末を用いないときには画面を倒せば、液晶ディスプレイ１を机の天板上に水平に位置させることができるので、その状態で机を利用してもさして邪魔にならない。
【００２０】
以上に述べた２例の情報端末の実施の形態は、コインシュータ５などの利用料金徴収手段を情報端末それぞれに設けるように説明したが、インターネットカフェで用いる場合でも、個々の情報端末には利用料金徴収手段を特に設けず、個々の情報端末を店内の親機を介してインターネットに接続するようにし、親機で情報端末ごとに接続時間を計数して料金を徴収するようにすることもできる。
また、インターネットカフェ以外の用途、例えば会議室や教室、公共施設などで用いる場合には、利用料金徴収手段を設ける必要がないことも考えられる。
【００２１】
以上の説明では、通信回線への接続方法については特に触れなかったが、有線接続はでも差し支えないが、無線ＬＡＮ用通信アダプターを個々の情報端末に用いて無線ＬＡＮで接続するようにすると、配線などがその分、楽になり、情報端末を移動して設置する場合の自由度が増すことになる。
また、以上の説明ではディスプレイカバーパネル８は、液晶ディスプレイ１の表面を覆うように説明したが、図１の実施の形態では、机の天板全体を覆う大きさとしても良い。また、図８の実施の形態では、液晶ディスプレイ１の表面以外を覆うディスプレイカバーパネル８を用意し、液晶ディスプレイ１の画面を倒したときに、その表面が一様な平面になるようにしても良い。
【産業上の利用可能性】
【００２２】
本発明の情報端末は、上述のように従来からある机に容易にセットして用いることができるので、インターネットカフェに用いるのは勿論、空港や駅、公共施設の待合室やゲームセンターやビジネスホテル、会議室や教室など広範囲な場所の既設のスペースに設置して、広く用いることができ、産業上の利用に可能性が大きい。
【図面の簡単な説明】
【００２３】
【図１】本発明の情報端末の設定時の外観斜視図である。
【図２】本発明の情報端末の単体の斜視図である。
【図３】本発明の情報端末の上面図である。
【図４】本発明の情報端末の正面図である。
【図５】本発明の情報端末の側面図である。
【図６】本発明の情報端末の筺体の展開図である。
【図７】本発明の情報端末の操作フローチャートである。
【図８】本発明の情報端末の他の実施の形態の設定時の外観斜視図である。
【図９】本発明の情報端末の他の実施の形態の単体の斜視図である。
【符号の説明】
【００２４】
１    液晶ディスプレイ
２    キーボード
３    マウス
４    筺体
５    コインシュータ
６    キーボードテーブル
７    スライドレール
８    ディスプレイカバーパネル
９    化粧フレーム
１０  固定用フレーム
１１  押当て金具
１２  ディスプレイ用ケーブル
１３  取付部
１４  ディスプレイ固定金具
１５  情報端末本体
１６  ＡＣアダプター
【図１】
2006127210.tif 000003
【図２】
2006127210.tif 000004
【図３】
2006127210.tif 000005
【図４】
2006127210.tif 000006
【図５】
2006127210.tif 000007
【図６】
2006127210.tif 000008
【図７】
2006127210.tif 000009
【図８】
2006127210.tif 000010
【図９】
2006127210.tif 000011